(57)【要約】      （修正有）【課題】連結された畳床の枚数が３枚以上であっても、コンパクトに折り畳み可能であり、収納や運搬等の利便性を向上させた置き畳を提供する。【解決手段】畳床１を備え、畳床１は、その端辺に沿って、他の畳床１と連結する連結部を有し、連結部は、隣接し合う畳床１を、端辺を軸に相対的に３６０度回転可能に連結することを特徴とする。【選択図】図１
2020094435.tif 000002
【特許請求の範囲】
【請求項１】
畳床を備え、
前記畳床は、その端辺に沿って、他の前記畳床と連結する連結部を有し、
前記連結部は、隣接し合う前記畳床を、前記端辺を軸に相対的に３６０度回転可能に連結することを特徴とする置き畳。
【請求項２】
前記連結部は、隣接し合う前記畳床を、互いに着脱可能に連結することを特徴とする、請求項１に記載の置き畳。
【請求項３】
前記畳床は、前記連結部を一対有することを特徴とする、請求項１又は２に記載の置き畳。
【請求項４】
前記連結部は、磁石であることを特徴とする、請求項１〜３の何れかに記載の置き畳。
【請求項５】
前記連結部は、前記畳床の内部に設けられていることを特徴とする、請求項４に記載の置き畳。
【請求項６】
前記畳床は、その一表面に滑り止め部を有することを特徴とする、請求項１〜５の何れかに記載の置き畳。
【発明の詳細な説明】
【技術分野】
【０００１】
本発明は、置き畳に係るものである。
【背景技術】
【０００２】
従来から、特殊な施工工程を一切必要とせず、床に置くだけで部分的に敷設可能な床材として、置き敷きが用いられてきた。
【０００３】
この置き敷きは、施工や張替えが容易であることから、改修工事や二重床に多用されている。また、その種類は、周辺環境や居住者の趣向に合わせて、フローリング型やタイル型、カーペット型等様々である。
【０００４】
特に、日本固有の文化である畳を置き敷きとして利用した置き畳は、畳独自の落ち着いた雰囲気を、どこでも手軽に醸し出すことができ、日本では勿論、海外でも人気を博している。
【０００５】
ところで、このような置き畳は、使用しない場合には適宜押入れ等の収納スペースに収納しておく必要があり、収納スペースを圧迫してしまうという問題があった。
【０００６】
このような問題点を解決するために、特許文献１には、複数の畳床を跨ぐように畳表が貼付されており、その畳床の連結部の上方に畳表の連結部が位置している置き畳が記載されている。
この置き畳は、このような構成により、複数の畳床を折り畳み可能とし、収納時の利便性を向上させる他、屏風や衝立としても使用可能とすることを目的としている。
【先行技術文献】
【特許文献】
【０００７】
【特許文献１】特開２００６−２５１９号公報
【発明の概要】
【発明が解決しようとする課題】
【０００８】
しかしながら、上記の置き畳においても、なお、以下のような問題点が存在している。
即ち、上記の置き畳は、複数の畳床を跨ぐように畳表が貼付されていることから、一方向にしか折り畳むことができず、畳床の枚数が３枚以上であると、コンパクトに折り畳むことができない、という問題点である。
【０００９】
本発明は上記のような実状に鑑みてなされたものであり、連結された畳床の枚数が３枚以上であっても、コンパクトに折り畳み可能であり、収納や運搬等の利便性を向上させた置き畳を提供することを課題とする。
【課題を解決するための手段】
【００１０】
上記課題を解決するために、本発明は、
畳床を備え、
前記畳床は、その端辺に沿って、他の前記畳床と連結する連結部を有し、
前記連結部は、隣接し合う前記畳床を、前記端辺を軸に相対的に３６０度回転可能に連結することを特徴とする。
【００１１】
本発明によれば、連結部が、隣接し合う畳床を、その長辺を軸に相対的に３６０度回転可能に連結することで、連結された畳床の枚数が３枚以上であっても、畳床を、積層した態様で、コンパクトに折り畳むことが可能となる。
【００１２】
本発明の好ましい形態では、前記連結部は、隣接し合う前記畳床を、互いに着脱可能に連結することを特徴とする。
【００１３】
このような構成とすることで、使用者は、使用状況等に合わせて、畳床の連結枚数を任意に選択し、本実施形態に係る置き畳の敷設面積を適宜変更することが可能となる。
【００１４】
本発明の好ましい形態では、前記畳床は、前記連結部を一対有することを特徴とする。
【００１５】
このような構成とすることで、畳床を簡易な構造で軽量なものとしつつ、使用者は、使用状況等に合わせて、畳床の連結枚数を任意に選択し、本実施形態に係る置き畳の敷設面積を適宜変更することが可能となる。
【００１６】
本発明の好ましい形態では、前記連結部は、磁石であることを特徴とする。
【００１７】
このような構成とすることで、使用者は、複数の畳床を近接させるのみで連結可能であり、着脱や回転動作が容易となる。
【００１８】
本発明の好ましい形態では、前記連結部は、前記畳床の内部に設けられていることを特徴とする。
【００１９】
このような構成とすることで、畳床は、畳特有の外観意匠を損なうことなく、その機能を発揮することが可能となる。
【００２０】
本発明の好ましい形態では、前記畳床は、その一表面に滑り止め部を有することを特徴とする。
【００２１】
このような構成とすることで、敷設後に、畳床の他表面に人や物が載った際の位置のズレを抑制することが可能となる。
【発明の効果】
【００２２】
本発明によれば、連結された畳床の枚数が３枚以上であっても、コンパクトに折り畳み可能であり、収納や運搬等の利便性を向上させた置き畳を提供することができる。
【図面の簡単な説明】
【００２３】
【図１】本発明の実施形態に係る置き畳の概略斜視図である。
【図２】本発明の実施形態に係る置き畳を示す図であって、（ａ）表面図、（ｂ）裏面図である。
【図３】本発明の実施形態に係る置き畳の内部の状態を示す図である。
【図４】本発明の実施形態に係る置き畳の使用例を示す概略斜視図である。
【図５】本発明の実施形態に係る置き畳の使用例を示す概略斜視図である。
【図６】本発明の実施形態に係る置き畳の使用例を示す概略斜視図である。
【図７】本発明の実施形態に係る置き畳の使用例を示す概略斜視図である。
【発明を実施するための形態】
【００２４】
以下、図１〜図７を用いて、本発明の実施形態に係る置き畳について説明する。
なお、以下に示す実施形態は本発明の一例であり、本発明を以下の実施形態に限定するものではない。
【００２５】
図１及び図２に示すように、本実施形態に係る置き畳は、畳床１を備えている。
【００２６】
畳床１は、略平板状かつ略長方形状であり、その表面に設けられた編み込み状の畳表部１１と、その裏面に設けられた滑り止め部１２と、その両短辺に設けられた一対の畳縁部１３と、を有している。
【００２７】
畳表部１１は、イグサの茎や麻糸等を織り合わせることで構成しても良いし、樹脂製や紙製の素材により編み込み状を模して構成しても良く、生地やシートなどで構成しても良い。
【００２８】
滑り止め部１２は、ゴム等の滑り止め効果のある素材、ウレタン等の樹脂素材を用いて、シート状に形成し、畳床１の裏面に貼り付けられている。
【００２９】
図３に示すように、畳床１は、一対の連結部Ｍを有している。
詳述すれば、一対の連結部Ｍは、磁石であり、畳床１の内部に設けられている。また、一対の連結部Ｍは、細長形状であり、畳床１の長辺方向に沿って、各長辺の至近位置に設けられている。
なお、図３は、畳床１の裏面図であり、一対の連結部Ｍは点線で示している。また、説明の便宜上、滑り止め部１２は省略している。
【００３０】
ここで、連結部Ｍは、必ずしも、細長形状とし、畳床１の長辺方向に沿って設ける必要はなく、例えば、枠体や薄板状として一つだけ設けても良いし、畳床１の短辺方向に沿って一対設けても良い。
また、連結部Ｍは、着脱や回転動作の容易性から磁石が好ましいが、これに限られず、例えば、畳床１の端面にファスナーや面ファスナー等の着脱可能な部材を設けても良い。
【００３１】
なお、畳床１は、運搬作業等の容易性から、１０ｍｍ程度の厚さが好ましく、６００ｇ程度の重さが好ましい。
【００３２】
図４（ａ）に示すように、本実施形態に係る置き畳の使用者は、２枚の畳床１を、それぞれの一方の連結部Ｍの磁力により、その長辺側の端面同士で連結することができる。
【００３３】
ここで、説明の便宜上、図４（ａ）に示す２つの畳床１において、左方の畳床１を畳床１ａ、右方の畳床１を畳床１ｂと称し、それぞれの構成要素について、符号の末尾にａ又はｂを付することとする。
【００３４】
例えば、畳床１ａを、図４（ａ）において時計回り（矢印ｄ１）に回転させた場合、長辺側の端面が離間しつつ、畳床１ａが、畳床１ａ及び１ｂの表面側の長辺が磁力で連結した状態を維持したまま回転する。即ち、畳床１ａが表面側の長辺を軸に回転し、図４（ｂ）に示すように、畳床１ａと畳床１ｂとは、畳表部１１ａと畳表部１１ｂとが当接した状態で、積層され、折り畳まれる。
【００３５】
また、畳床１ａを、図４（ａ）において反時計回り（矢印ｄ２）に回転させた場合、長辺側の端面が離間しつつ、畳床１ａが、畳床１ａ及び１ｂの裏面側の長辺が磁力で連結した状態を維持したまま回転する。即ち、畳床１ａは、裏面側の長辺を軸に回転し、図４（ｃ）に示すように、畳床１ａと畳床１ｂとは、滑り止め部１２ａと滑り止め部１２ｂとが当接した状態で、積層され、折り畳まれる。
【００３６】
なお、畳床１ａ及び１ｂが、図４（ｂ）や図４（ｃ）に示す状態となった際にも、それぞれの一対の連結部Ｍの磁力による連結状態は維持されることから、畳床１ａ及び１ｂの不意の回転動作が防止され、図４（ｂ）や図４（ｃ）に示す状態が安定的に維持される。
また、上記した畳床１ａの回転動作は、畳床１ｂも、当然に行うことができる。
【００３７】
ここで、畳床１の連結枚数は２枚に限られず、使用者は、使用状況等に応じて任意の枚数を連結することができる。
例えば、図５に示すように、使用者は、畳床１を４枚連結することができる。
【００３８】
そして、使用者は、図５に示す状態から、各畳床１を、上面視でジグザグとなるように、表面側又は裏面側の長辺を軸として所定の角度回転させることで、図６（ａ）に示すように、連結された４枚の畳床１を起立状態とすることができる。これにより、使用者は、畳床１を屏風や衝立として用いることができる。
【００３９】
また、使用者は、図６（ａ）に示す状態から、各畳床１において、隣接し合う他の畳床１と、その畳表部１１同士又は滑り止め部１２同士が当接するように、さらに回転させることで、図６（ｂ）に示すように、各畳床１を、積層し、折り畳むことができる。
この際にも、各畳床１の、それぞれの一対の連結部Ｍの磁力による連結状態は維持されることから、各畳床１の不意の回転動作が防止され、図６（ｂ）に示す状態が安定的に維持される。
【００４０】
本実施形態に係る置き畳は、置き敷きや屏風、衝立としての使用以外にも、例えば、図７に示すように、連結部Ｍの磁力を利用して、会議室の壁等金属製の壁Ｗに貼り付けておくこともできる。これにより、使用者は、畳床１をインテリアとして用いることができる。
【００４１】
本実施形態によれば、連結部Ｍが、隣接し合う畳床１を、その長辺を軸に相対的に３６０度回転可能に連結することで、連結された畳床１の枚数が３枚以上であっても、畳床を、積層した態様で、コンパクトに折り畳むことが可能となる。
【００４２】
また、連結部Ｍが、隣接し合う畳床１を、互いに着脱可能に連結することで、使用者は、使用状況等に合わせて、畳床１の連結枚数を任意に選択し、本実施形態に係る置き畳の敷設面積を適宜変更することが可能となる。
【００４３】
また、畳床１が、連結部Ｍを一対有することで、畳床１を簡易な構造で軽量なものとしつつ、使用者は、使用状況等に合わせて、畳床１の連結枚数を任意に選択し、本実施形態に係る置き畳の敷設面積を適宜変更することが可能となる。
【００４４】
また、連結部Ｍが、磁石であることで、使用者は、複数の畳床１を近接させるのみで連結可能であり、着脱や回転動作が容易となる。
【００４５】
また、連結部Ｍが、畳床１の内部に設けられていることで、畳床１は、畳特有の外観意匠を損なうことなく、その機能を発揮することが可能となる。
【００４６】
また、畳床１は、その裏面に滑り止め部１２を有することで、敷設後に、表面に人や物が載った際の位置のズレを抑制することが可能となる。
【００４７】
なお、上述の実施形態において示した各構成部材の諸形状や寸法等は一例であって、設計要求等に基づき種々変更可能である。
【符号の説明】
【００４８】
１、１ａ、１ｂ        畳床
１１、１１ａ、１１ｂ  畳表部
１２、１２ａ、１２ｂ  滑り止め部
１３                  畳縁部
Ｍ                    連結部
Ｗ                    壁
Ｐ                    観葉植物
【図１】
2020094435.tif 000003
【図２】
2020094435.tif 000004
【図３】
2020094435.tif 000005
【図４】
2020094435.tif 000006
【図５】
2020094435.tif 000007
【図６】
2020094435.tif 000008
【図７】
2020094435.tif 000009